(57)【特許請求の範囲】
【請求項１】
画像記録装置の本体と、
前記画像記録装置の本体に着脱可能に装着される少なくとも１つの消耗品ユニットと、
前記消耗品ユニットに設置される少なくとも１つの消耗品信号端子と、
前記消耗品ユニットの装着及び分離をガイドするように前記画像記録装置の本体に形成されるフレームと、
前記画像記録装置の本体のフレームに設置され、少なくとも１つの接触端子が表面に形成される印刷回路基板と、
前記画像記録装置の本体のフレームに流動可能に設置され、前記消耗品ユニットの装着時に前記消耗品信号端子と接触する可動ピンと、
前記接触端子に接触するように前記画像記録装置の本体に設置され、前記可動ピンを前記消耗品ユニット側に弾力的に加圧するスプリングと、
を含み、
前記画像記録装置における前記消耗品ユニットの装着可否に対する信号は、前記消耗品ユニットの信号端子、可動ピン、スプリング、及び接触端子を経由して前記印刷回路基板に伝達され、
前記印刷回路基板の前記接触端子の各々は、半田で形成された複数個の小面積の端子が所定間隔をおいて互いに離隔した状態で集まって形成され、前記スプリングが連結される中央部は前記複数個の小面積の端子が互いに電気的に接続されて配置され、
前記印刷回路基板は、前記小面積の端子の形成時、前記半田投入方向に沿って前記小面積の端子の下流に形成されるダミー部分を更に含むことを特徴とする画像記録装置。
【請求項２】
前記小面積の端子の各々は、２ｍｍ以下の直径を持つことを特徴とする請求項１に記載の画像記録装置。
【請求項３】
前記ダミー部分は、前記接触端子の外周に前記小面積の端子の相互間の信号交換と関係なしに塗布された半田を含むことを特徴とする請求項１に記載の画像記録装置。
【請求項４】
前記画像記録装置の本体には前記消耗品ユニットが複数設置され、
前記印刷回路基板には、前記接触端子を少なくとも１つ含む接触端子ユニットが前記消耗品ユニットに対応するように複数形成されることを特徴とする請求項１に記載の画像記録装置。
【請求項５】
前記消耗品ユニットは、画像印刷に必要な現像剤を収容する現像ユニットであることを特徴とする請求項４に記載の画像記録装置。
【請求項６】
前記消耗品ユニットの装着方向と前記可動ピンの流動方向とは、互いに直交することを特徴とする請求項１に記載の画像記録装置。
【請求項７】
前記消耗品ユニットの側面にはガイドレールが設置され、
前記消耗品信号端子は、前記ガイドレール上に設置されることを特徴とする請求項１に記載の画像記録装置。
【請求項８】
前記ガイドレールの先端には、前記消耗品ユニットの脱着時、前記可動ピンを前記消耗品ユニットの挿入方向と直交する方向に移動するように案内する案内面が形成されることを特徴とする請求項７に記載の画像記録装置。
【請求項９】
前記少なくとも１つの消耗品信号端子は、前記消耗品ユニットを既に使用したか否か及び種類と関連した情報を持つ信号用信号端子であることを特徴とする請求項１に記載の画像記録装置。
【請求項１０】
前記少なくとも１つの消耗品信号端子は、２個の信号端子と１個のグラウンド端子とを含むことを特徴とする請求項１に記載の画像記録装置。
【請求項１１】
前記接触端子の各々は、実質的に７〜１２ｍｍの直径を持つことを特徴とする請求項１に記載の画像記録装置。
【請求項１２】
画像記録装置の本体と、
前記画像記録装置の本体に設置され、その表面に少なくとも１つの接触端子が形成された印刷回路基板と、
前記画像記録装置の本体に装着される消耗品ユニットと、
前記消耗品ユニットに設置される少なくとも１つの可動ピンと、
前記消耗品ユニットに設置されて前記可動ピンを前記接触端子側に弾力的に加圧するスプリングと、
を含み、
前記画像記録装置における前記消耗品ユニットの装着可否に対する信号は、前記スプリング、可動ピン、及び接触端子を経由して前記印刷回路基板に伝達され、
前記印刷回路基板の前記接触端子の各々は、半田で形成された複数個の小面積の端子が所定間隔をおいて互いに離隔した状態で集まって形成され、前記可動ピンと接触する中央部は前記複数個の小面積の端子が互いに電気的に接続されて該可動ピンと接触するように配置され、
前記印刷回路基板は、前記小面積の端子の形成時、前記半田投入方向に沿って前記小面積の端子の下流に形成されるダミー部分を更に含むことを特徴とする画像記録装置。
【発明の詳細な説明】
【技術分野】
【０００１】
本発明は、所定の回路（ｃｉｒｃｕｉｔ）が搭載され、その回路に電気的に接続している接触端子を含む印刷回路基板（ＰＣＢ：ｐｒｉｎｔｅｄ  ｃｉｒｃｕｉｔ  ｂｏａｒｄ）を備える画像記録装置に関し、より詳しくは、１つの信号を伝達する接触端子が所定の大きさ以上で構成される場合、複数個の小面積の端子部が集まって形成された接触端子を備える印刷回路基板を備える画像記録装置に関する。
【背景技術】
【０００２】
一般的に、電子製品は、電子製品の動作制御及び処理のための回路が搭載された印刷回路基板（ＰＣＢ）を備える。印刷回路基板には、回路素子と、外部と電気的に接続している接触端子とが設置される。
【０００３】
例えば、プリンタ、複写機、複合機などのような画像記録装置は、現像ユニット及び感光ドラムユニットのような消耗品ユニットと、上述したような印刷回路基板とを備える。消耗品ユニットは、その内部と信号交換できる消耗品ユニット端子を備え、消耗品ユニットが画像記録装置の本体に装着されれば、消耗品ユニットの電源端子は、画像記録装置の本体の電源供給可動ピンを経由して回路基板の大面積の接触端子から電源を供給される。一般的に、可動ピンは、スプリングにより接触端子と信号交換できるように接続されており、スプリングにより消耗品ユニット電源端子と弾力的に接触して印刷回路基板から供給される電源を消耗品ユニットに供給する。よって、接触端子は、スプリングが接触するのに充分な面積を持つことが望ましく、通常、７〜１２ｍｍ程度の幅を持つ四角形端子を構成して使用する。以下、上述したような大きさの接触端子を大面積の接触端子と称して説明する。
【０００４】
従来技術に使用されている印刷回路基板に備えられた大面積の接触端子は、板状の別途の金属端子を半田付けして形成させる方法と、基板上に突出するように塗布される半田を利用して形成させる方法とがある。板状の金属端子を大面積の接触端子として使用する場合には、接触効率は優秀であるが、製造単価が上昇するという問題がある。その反面、半田を利用した場合には、金属端子を利用した場合より製造単価が低廉になる。
【０００５】
図１Ａは、半田で形成された大面積の接触端子２１を備える従来の印刷回路基板２０及びその印刷回路基板２０の接点の状態を示す説明図である。また、図１Ｂは、図１Ａの大面積の接触端子２１を備える従来の印刷回路基板２０の概略斜視図である。図１Ａ及び図１Ｂに示すように、大面積の接触端子２１は、印刷回路基板２０に搭載された回路素子２７に対応するように、印刷回路基板２０の後面の所定領域端子に半田が塗布されて形成される。
【発明の開示】
【発明が解決しようとする課題】
【０００６】
しかしながら、従来のように、半田を利用して大面積の接触端子２１を形成する場合には、大面積の接触端子２１の面積が広すぎ、半田が液体状態で投入される。このため、大面積の接触端子２１の厚みが不均一に形成されることになり、大面積の接触端子２１の表面が平坦に形成されない。参考として、通常の半田付けにおける均一な塗布状態といえるパターンの幅は約２ｍｍ以内と知られていた。このように、大面積の接触端子２１の表面が平坦に形成されないことにより、大面積の接触端子２１と外部端子３０との間の接触が不良になるという問題があった。
【０００７】
また、上記のような半田付けにおける不均一な塗布状態を解決するための方法として、半田付けすることなく印刷回路基板２０上に形成されたパターンのまま使用したり、テープでマスキングして半田付けしたりする方法もある。しかし、半田付けしない場合はパターンが腐食すること、テープでマスキングする場合は半田付け後のテープの除去時に半田付けのカスが発生することにより、大面積の接触端子２１と外部端子３０との間の接触が不良になるため、製造工程が複雑でコストの上昇を招くという問題があった。
【０００８】
そこで、本発明は、このような問題に鑑みてなされたもので、その目的は、材料費を低減し、その構造設計が簡単で、外部端子との接触不良を防止することが可能な接触端子を備える、新規かつ改良された印刷回路基板を備える画像記録装置を提供することにある。
【課題を解決するための手段】
【０００９】
上記課題を解決するために、本発明のある観点によれば、画像記録装置の本体と、前記画像記録装置の本体に着脱可能に装着される少なくとも１つの消耗品ユニットと、前記消耗品ユニットに設置される少なくとも１つの消耗品信号端子と、前記消耗品ユニットの装着及び分離をガイドするように前記画像記録装置の本体に形成されるフレームと、前記画像記録装置の本体のフレームに設置され、少なくとも１つの接触端子が表面に形成される印刷回路基板と、前記画像記録装置の本体のフレームに流動可能に設置され、前記消耗品ユニットの装着時に前記消耗品信号端子と接触する可動ピンと、前記接触端子に接触するように前記画像記録装置の本体に設置され、前記可動ピンを前記消耗品ユニット側に弾力的に加圧するスプリングと、を含み、前記画像記録装置における前記消耗品ユニットの装着可否に対する信号は、前記消耗品ユニットの信号端子、可動ピン、スプリング、及び接触端子を経由して前記印刷回路基板に伝達され、前記印刷回路基板の前記接触端子の各々は、半田で形成された複数個の小面積の端子が所定間隔をおいて互いに離隔した状態で集まって形成され、前記スプリングが連結される中央部は前記複数個の小面積の端子が互いに電気的に接続されて配置され、前記印刷回路基板は、前記小面積の端子の形成時、前記半田投入方向に沿って前記小面積の端子の下流に形成されるダミー部分を更に含むことを特徴とする画像記録装置が提供される。
【００１０】
また、前記消耗品ユニットの装着方向と前記可動ピンの流動方向とは、互いに直交することが好ましい。
【００１１】
また、前記消耗品ユニットの側面にはガイドレールが設置され、前記消耗品信号端子は、前記ガイドレール上に設置されることが望ましく、前記ガイドレールの先端には案内面が設置され、案内面が前記可動ピンを押して前記消耗品ユニットの挿入方向と直交する方向に可動させることがより好ましい。
【００１２】
一方、前記スプリングは、前記消耗品ユニットが前記画像記録装置の本体から分離された場合にも回路基板の前記接触端子と接触し、前記消耗品ユニットが本体に装着された場合にも回路基板の前記接触端子に接触することが好ましい。
【００１３】
また、前記スプリングは、前記消耗品ユニットが装着されている場合により多く圧縮されていることが望ましく、前記可動ピンの可動量は、スプリングの前記消耗品ユニットが分離された場合と前記消耗品ユニットが装着された場合とのスプリングの圧縮量の差に該当することがより好ましい。
【００１４】
一方、前記少なくとも１つの消耗品信号端子は、前記消耗品ユニットが新しいユニットか使用中のユニットかを区分する情報と、前記消耗品ユニットの種類情報とを表示するための信号端子であることが好ましい。
【００１５】
ここで、前記少なくとも１つの消耗品信号端子は、２個の信号端子と１個のグラウンド端子で構成されることが好ましい。
【００１６】
また、前記画像記録装置の本体には前記消耗品ユニットが複数設置され、前記印刷回路基板には、前記接触端子を少なくとも１つ含む接触端子ユニットが前記消耗品ユニットに対応するように複数形成されることが好ましい。
【００１７】
このときの消耗品ユニットは、画像印刷に必要な現像剤を収容する現像ユニットであることが好ましい。
【００１８】
また、上記課題を解決するために、本発明のまた別の観点によれば、画像記録装置の本体と、前記画像記録装置の本体に設置され、その表面に少なくとも１つの接触端子が形成された印刷回路基板と、前記画像記録装置の本体に装着される消耗品ユニットと、前記消耗品ユニットに設置される少なくとも１つの可動ピンと、前記消耗品ユニットに設置されて前記可動ピンを前記接触端子側に弾力的に加圧するスプリングと、を含み、前記画像記録装置における前記消耗品ユニットの装着可否に対する信号は、前記スプリング、可動ピン、及び接触端子を経由して前記印刷回路基板に伝達され、前記印刷回路基板の前記接触端子の各々は、半田で形成された複数個の小面積の端子が所定間隔をおいて互いに離隔した状態で集まって形成され、前記可動ピンと接触する中央部は前記複数の小面積の端子が互いに電気的に接続されて該可動ピンと接触するように配置され、前記印刷回路基板は、前記小面積の端子の形成時、前記半田投入方向に沿って前記小面積の端子の下流に形成されるダミー部分を更に含むことを特徴とする画像記録装置が提供される。
【発明の効果】
【００１９】
本発明によれば、印刷回路基板（ＰＣＢ）の構成時、１つの信号処理のための端子部が複数個の小面積の端子部が集まって形成される。従って、印刷回路基板の端子部及びその端子部と対応する相手端子との接触不良を画期的に改善し、また、複数個の小面積の端子部を半田で形成することにより、製造単価の低減化及び製造工程の単純化を図ることが可能な印刷回路基板を備える画像記録装置を提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
以下の本発明の実施形態の説明においては、それぞれ、大面積の接触端子を本発明の第１領域、大面積の接触端子に設けられた所定の端子領域を本発明の第２領域、小面積の端子部の相互間に配置される絶縁体を本発明の第３領域、小面積の端子部を本発明の第４領域の例として説明する。
【００２２】
（第１の実施形態）
図２Ａ〜図２Ｄは本発明の第１の実施形態による印刷回路基板（ＰＣＢ：ｐｒｉｎｔｅｄ  ｃｉｒｃｕｉｔ  ｂｏａｒｄ）の大面積の接触端子の形状の第１〜第４の例を示す説明図である。
【００２３】
本実施形態の大面積の接触端子１５１は、印刷回路基板１５０（図５参照）の表面に形成された所定の端子領域に設けられ、印刷回路基板１５０に内蔵された信号ラインと電気的に接続されている。また、大面積の接触端子１５１は、複数個の小面積の端子部１５１ａの集合体として形成される。このとき、複数個の小面積の端子部１５１ａは、印刷回路基板１５０の内部で互いに電気的に接続されており、印刷回路基板１５０に回路素子１５３（図５参照）を固定させるための半田付けの際に印刷回路基板１５０に塗布される半田で形成される。この場合、小面積の端子部１５１ａの各々は、図２Ａ〜図２Ｄに示すように、約１．２ｍｍ程度の直径（Ｒ）を有するため、均一な厚みで半田を塗布することができる。
【００２４】
図２Ａは、本発明の第１の実施形態による大面積の接触端子１５１の構成を示す説明図である。図２Ａを参照すると、大面積の接触端子１５１は、所定の端子領域に一定の大きさを有する略円形状の複数個の小面積の端子部１５１ａが、互いに一定の間隔をおいて離隔するように配置される構造を有する。望ましくは、図２Ａに示すように、小面積の端子部１５１ａの各々は、直径（Ｒ）１．２ｍｍ程度、相互間の隔離距離（Ｄ１）０．４ｍｍ程度を有する。
【００２５】
このような小面積の端子部１５１ａは、印刷回路基板１５０の後面に所定の端子領域が形成されるように具備された銅箔パターンに半田を塗布することによって形成される。このような半田付け工程は、回路素子１５３を印刷回路基板１５０に固定させるための印刷回路基板１５０の後面半田付けのときに一括して実施できる。このように形成された複数個の小面積の端子部１５１ａにより大面積の接触端子１５１が形成される。勿論、１つの大面積の接触端子１５１にある複数個の小面積の端子部１５１ａは、互いに電気的に接続されている。即ち、小面積の端子部１５１ａ相互間の抵抗はゼロである。
【００２６】
上述したように、回路素子１５３の固定及び小面積の端子部１５１ａの形成のために、印刷回路基板１５０の後面を半田付けするときには、半田投入方向（Ｃ）に沿って小面積の端子部１５１ａの下流にダミー（Ｄｕｍｙ）部分（Ａ）を形成することが好ましい。このようなダミー部分（Ａ）は、半田付け工程で発生し得る塗布される半田の高さが不均一にならないようにその高さを補正するためのもので、可動ピンスプリング１３１ｂ（図５参照）が大面積の接触端子１５１に接触する時に、可動ピンスプリング１３１ｂと接触しない位置に配置されることが好ましい。また、ダミー部分（Ａ）は、小面積の端子部１５１ａと電気的に接続されていなくてもよい。
【００２７】
図２Ａに示すように、大面積の接触端子１５１は、一定の大きさ及び形状を有する複数個の小面積の端子部１５１ａが形成されるように、半田が均一な高さで一定の配列に沿って塗布されて形成される。これによれば、図５の可動ピンスプリング１３１ｂと大面積の接触端子１５１との接触不良を防止することができる。そして、複数個の小面積の端子部１５１ａが電気的に互いに接続されているので、可動ピンスプリング１３１ｂと大面積の接触端子１５１との間の電気的な接続も良好に行われる。
【００２８】
図２Ｂは、本発明の第１の実施形態による大面積の接触端子の他の形状の構成を示す説明図である。
【００２９】
図２Ｂを参照すると、大面積の接触端子１５１の端子領域には、一定の大きさ及び形状を有する複数個の小面積の端子部１５１ａが集まるように分布される。望ましくは、外部端子が接触する円形の接触領域（Ｂ）に他の領域よりも小面積の端子部１５１ａが密集するように形成される。これによれば、図２Ｂに示すような形状の大面積の接触端子１５１は、可動ピンスプリング１３１ｂのように、横断面が略円形状に形成された外部端子に対応することが更に容易となる。
【００３０】
図２Ｂに示すように、外部端子との接触領域（Ｂ）に分布させた小面積の端子部１５１ａとは、１．２ｍｍ程度の直径（Ｒ）と０．２５ｍｍ程度の隔離距離（Ｄ２）を有することが望ましく、図２Ａの場合と同様に、ダミー部分（図示せず）を更に有することが好ましい。
【００３１】
図２Ｃは、本発明の第１の実施形態による大面積の接触端子のまた他の形状の構成を示す説明図である。図２Ｃを参照すると、図２Ｃにおける大面積の接触端子１５１は、略円形状の端子領域を持つ。この端子領域内には、複数個の小面積の端子部１５１ａ、１５１ｂが形成される。図２Ｃにおける大面積の接触端子１５１は、端子領域の中心に配置された小面積の端子部１５１ｂが他の小面積の端子部よりも大きな略円形状に形成され、その外周に沿って、小面積の端子部１５１ｂよりも小さな小面積の端子部１５１ａの複数個が均一な間隔で配置されて形成される。
【００３２】
図２Ｄは、本発明の第１の実施形態による大面積の接触端子の更に他の形状の構成を示す説明図である。図２Ｄを参照すると、図２Ｄにおける大面積の接触端子１５１は、その端子領域に複数個の小面積の端子部１５１ａが斜線状に形成され、斜線状の小面積の端子部１５１ａの各々は、均一な幅を持つように形成される。
【００３３】
上述したように、大面積の接触端子１５１を形成するために所定の端子領域に集まる複数個の小面積の端子部１５１ａの形状及び大きさは、多様な形状及び大きさとすることができる。これにより、大面積の接触端子１５１の形状も多様に構成できることは勿論である。
【００３４】
これによれば、所定の端子領域及び複数個の小面積の端子部１５１ａは、次のような特性を更に有する。大面積の接触端子１５１の端子領域の面積である第１面積は、１個の小面積の端子部１５１ａの面積である第２面積及び複数個の小面積の端子部１５１ａの面積の和である第３面積よりも大きい。このときの第１面積は、第３面積と小面積の端子部１５１ａの相互間に配置される絶縁体の面積である第４面積との和と同一であることが好ましい。
【００３５】
上述したように構成される本実施形態による大面積の接触端子１５１は、従来の大面積の接触端子２１（図１参照）に比べて、半田の使用量を低減することができるため、製造単価を顕著に低下させることができる。そして、回路素子１５３の固定のための半田付けの工程時に一括して大面積の接触端子１５１を形成できるため、大面積の接触端子１５１の製造工程を簡易化することができる。
【００３６】
以下、印刷回路基板を備える電子製品を例として、本発明の第１の実施形態による大面積の接触端子の使用例を説明する。電子製品としては、プリンタ、複写機、多機能複合機などのような画像記録装置を例として説明する。
【００３７】
図３は、本発明の第１の実施形態による大面積の接触端子を備える印刷回路基板が適用された画像記録装置の概略的な構成を示す斜視図である。本実施形態では、画像記録装置として多色画像の記録ができるように複数の現像ユニットを備えるカラープリンタを例として説明する。
【００３８】
図３を参照すれば、本実施形態のプリンタは、プリンタの本体１００と、感光ドラム１１０と、消耗品である現像剤を有する複数個の現像ユニット２１０と、複数個の現像ユニット２１０が矢印（ｘ）方向に着脱可能に装着される装着部フレーム１３０と、装着部フレーム１３０に現像ユニット２１０の装着可否を検知する印刷回路基板１５０とを主に備える。上述したような現像ユニット２１０と印刷回路基板１５０との接点状態は後述する図４及び図５に詳細に示している。
【００３９】
図４は、図３に示したプリンタの印刷回路基板１５０に対する詳細図であって、図２Ａに示した形状で形成された複数個の小面積の端子部１５１ａが集まって１つの大面積の接触端子１５１を構成し、この大面積の接触端子１５１を複数個待つ印刷回路基板１５０の概略的な構成を示した後面図である。図４を参照すれば、印刷回路基板１５０は、複数個の現像ユニット２１０の各々に対応する端子ユニット１５５〜１５８を備える。また、端子ユニット１５５〜１５８の各々は、小面積の端子部１５１ａが集まって形成される複数の大面積の接触端子１５１を含む。図４の最上位のラインの端子ユニット１５５は、ブラック（Ｂｌａｃｋ）現像ユニットに対応する端子ユニットとして、図３に示した最上位現像ユニットであるブラック現像ユニットの現像ユニット端子２１１ａに対応する大面積の接触端子１５１を備える。また、２番目の上位ラインの端子ユニット１５６は、シアン（Ｃｙａｎ）現像ユニットに対応する端子ユニットとして、図３の２番目の上位現像ユニットであるシアン現像ユニットの現像ユニット端子２１１ａに対応する大面積の接触端子１５１を備える。更に、イエロー（Ｙｅｌｌｏｗ）及びマゼンタ（Ｍａｇｅｎｔａ）カラーの現像ユニットに対応する印刷回路基板１５０の各々の端子ユニットが、１５７、１５８に示されている。
【００４０】
本実施形態の各端子ユニット１５５〜１５８は、各々３個の大面積の接触端子１５１を含む。これは、各々の現像ユニット２１０が新しい現像器か否かを区分するためのフューズ抵抗１個と、現像器の種類を区分するための種類区分抵抗１個と、各々の抵抗をグラウンドさせる回路とを備え、各々の抵抗のグラウンドは、共通で接続している回路構造を内蔵しているためである。
【００４１】
以上では、印刷回路基板１５０に４個の端子ユニット１５５〜１５８が具備され、端子ユニット１５５〜１５８の各々に大面積の接触端子１５１が３個ずつ具備された場合について説明したが、このような端子ユニット１５５〜１５８及び大面積の接触端子１５１の設置個数及び形態は、多様な個数や形態に変形できる。従って、本発明の端子ユニット１５５〜１５８及び大面積の接触端子１５１の設置個数及び形態は、本実施形態の設置個数及び形態に限られるものではないことは当然である。
【００４２】
一方、１つの大面積の接触端子１５１は、複数個の小面積の端子部１５１ａが集まって所定の領域を構成するが、この大面積の接触端子１５１の１つは、１つの信号を伝達するために使用されたことに注意すべきである。即ち、１つの大面積の接触端子１５１を形成する複数個の小面積の端子部１５１ａは、互いに電気的に接続されて１つの電気信号を伝達している。また、印刷回路基板１５０の表面には小面積の端子部１５１ａ間に絶縁体が具備されて、小面積の端子部１５１ａの相互間は、絶縁体によっても接続されている。更に、１つの大面積の接触端子１５１は、電源端子、グラウンド端子、信号ライン端子などの何れも使用され得る。また、本実施形態では、複数個の現像器端子と対応する複数個の回路基板端子が１つの回路基板に全部設置される。
【００４３】
図５は、先に説明した現像ユニットと印刷回路基板との接点状態を示す説明図であり、図６は、本実施形態による現像ユニットの外観構成を示す斜視図である。
【００４４】
図５及び図６を参照すれば、本実施形態の現像ユニット２１０は、ガイドレール２１３と、案内面２１３ａと、現像ユニット端子２１１ａとを含む。ガイドレール２１３は、現像ユニット２１０の各々が画像記録装置の本体１００の装着部フレーム１３０に容易に挿入されるようにするためのもので、現像ユニット２１０の側面に突設される。また、現像ユニット２１０の側面には３個の現像ユニット端子２１１ａが設置される。案内面２１３ａは、ガイドレール２１３の前後方に傾斜するように形成されて、現像ユニット２１０の装着時、後述する本体可動ピン１３１ａを現像ユニット２１０の挿入方向に対して直交する方向に案内する。
【００４５】
一方、画像記録装置の本体１００には装着部フレーム１３０が具備され、この装着部フレーム１３０には本体可動ピン１３１ａが貫通して突出されている。本体可動ピン１３１ａは、本体可動ピンスプリング１３１ｂにより印刷回路基板１５０の大面積の接触端子１５１と接続され、本体可動ピンスプリング１３１ｂにより現像ユニット２１０側に弾力的に加圧される。このような本体可動ピン１３１ａ及び本体可動ピンスプリング１３１ｂは共に、例えば金属のような導電性材料で形成されるため、現像ユニット端子２１１ａとの接触時に接続することにより、電源供給、グラウンド及び信号伝達などを可能にする。
【００４６】
（第２の実施形態）
図７は、本発明の第２実施形態による可動ピン及び可動ピンスプリングが現像器側に設置された構成を示す説明図である。
【００４７】
図７を参照すると、本実施形態による画像記録装置は、現像ユニット２１０’に、消耗品可動ピン２１１ａ’と、この消耗品可動ピン２１１ａ’を印刷回路基板１５０’の大面積の接触端子１５１’側に弾力的に加圧する現像ユニット可動ピンスプリング２１１ｂ’とが設置される。図７は、この消耗品可動ピン２１１ａ’が直接印刷回路基板１５０’の大面積の接触端子１５１’と接触する状態を示している。この他にも消耗品可動ピン２１１ａ’と大面積の接触端子１５１’との間に別途の導電性部材が設置される構成も可能である。
【００４８】
このように、画像記録装置のような電子製品の本体に具備された印刷回路基板（ＰＣＢ）の大面積の接触端子１５１、１５１’の各々は、複数個の小面積の端子部１５１ａ、１５１ａ’が集まって形成される。また、本実施形態の印刷回路基板１５０、１５０’の半田付け工程時、小面積の端子部１５１ａ、１５１ａ’に一定の高さで半田が塗布されるので、従来に比べてその表面がはるかに均一な接触端子を構成することにより、外部端子と大面積の接触端子との接触を良好にすることができる。また、半田の使用量が従来に比べて低減し、作業工程も簡単になるため、コストの低減及び品質の向上を図ることができる。
【００４９】
また、本実施形態の印刷回路基板１５０、１５０’では、１つの現像器に複数個の大面積の接触端子１５１、１５１’、複数個の現像ユニット２１０、２１０’に対応する一層多くの複数個の大面積の接触端子１５１、１５１’を設置することで、画像記録装置の簡単化、小型化及び低価格化を実現した。
【００５０】
また、本実施形態の画像記録装置においては、現像ユニットの挿入方向（Ｘ）と現像器検知用端子（本体可動ピン１３１ａ）の運動方向（Ｙ方向）が略直角に構成された場合について説明したが、現像器の挿入方向と可動ピンの運動方向が同一方向であってもよい。  
【００５１】
また、画像記録装置として多色印刷用プリンタを例としたが、プリント、複写機、多機能複合機、単色、多色に限らず、本発明を利用することができる。
【００５２】
以上説明したように、本発明は、例えば、プリンタ、パーソナルコンピューターのような種々の電子機器に具備されて、互いに分離できる状態で信号伝達可能に接続されている複数の端子に適用され、端子の相互間の接続時に正確に接続され、電子機器の製造工数及び製造費用を低減することができる。
【００５３】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００５４】
本発明は、所定の回路が搭載され、その回路に電気的に接続している接触端子を含む印刷回路基板、及びその印刷回路基板を備える画像記録装置に利用可能であり、特に、１つの信号を伝達する接触端子が所定の大きさの以上で構成される場合、複数個の小面積の端子部が集まって形成された接触端子を備える印刷回路基板、及びその印刷回路基板を備える画像記録装置に利用可能である。
【図面の簡単な説明】
【００５５】
【図１Ａ】半田付けで形成された大面積の接触端子を備える従来の印刷回路基板の接点の状態を示す説明図である。
【図１Ｂ】図１Ａの大面積の接触端子を備える従来の印刷回路基板の概略斜視図である。
【図２Ａ】本発明の第１の実施形態によって多様な形状で形成された複数個の小面積の端子部が集まって形成された大面積の接触端子の第１の例を示す説明図である。
【図２Ｂ】本発明の第１の実施形態によって多様な形状で形成された複数個の小面積の端子部が集まって形成された大面積の接触端子の第２の例を示す説明図である。
【図２Ｃ】本発明の第１の実施形態によって多様な形状で形成された複数個の小面積の端子部が集まって形成された大面積の接触端子の第３の例を示す説明図である。
【図２Ｄ】本発明の第１の実施形態によって多様な形状で形成された複数個の小面積の端子部が集まって形成された大面積の接触端子の第４の例を示す説明図である。
【図３】本発明の第１の実施形態による大面積の接触端子が形成された印刷回路基板を備える画像記録装置の概略的構成を示す斜視図である。
【図４】図３の印刷回路基板に対する詳細図であって、図２Ａに示した形状で形成された複数個の小面積の端子部が集まって１つの大面積の接触端子を構成し、この大面積の接触端子を複数個待つ印刷回路基板の概略的な構成を示した後面図である。
【図５】図３の現像ユニットと印刷回路基板との接点状態を示す説明図である。
【図６】本発明の第２の実施形態による現像ユニットの外観構成を示す斜視図である。
【図７】本発明の第２の実施形態による現像ユニットが装着された状態の画像記録装置の構成を示す説明図である。
【符号の説明】
【００５６】
１００      プリンタ（画像記録装置）の本体
１１０      感光ドラム
１３０      装着部フレーム
１３１ａ      本体可動ピン
１３１ｂ      本体可動ピンスプリング
１５０、１５０’      印刷回路基板
１５１、１５１’      大面積の接触端子
１５１ａ、１５１ａ’、１５１ｂ      小面積の端子部
２１０、２１０’      現像ユニット
２１１ａ      現像ユニット端子
２１１ａ’      消耗品可動ピン
２１１ｂ’      消耗品可動ピンスプリング
２１３      ガイドレール
２１３ａ      案内面
【図１Ａ】
0004536786.tif 000002
【図１Ｂ】
0004536786.tif 000003
【図２Ａ】
0004536786.tif 000004
【図２Ｂ】
0004536786.tif 000005
【図２Ｃ】
0004536786.tif 000006
【図２Ｄ】
0004536786.tif 000007
【図３】
0004536786.tif 000008
【図４】
0004536786.tif 000009
【図５】
0004536786.tif 000010
【図６】
0004536786.tif 000011
【図７】
0004536786.tif 000012